(57)【要約】【課題】        部品を一体化することにより、部品点数及び組み立て時間を減少させてコストを抑え、部品の脱落や紛失を防ぐことができるクーリングモジュールを提供すること。【解決手段】    キャリア部８の両側に、連結部１０を介して前記キャリア部８の長手方向に延ばして板状のエアガイド部９を設けると共に、前記エアガイド部９を前記連結部１０で折り曲げて空気を導くことができる状態とし、その状態で前記エアガイド部９を前記キャリア部８に固定する。【選択図】      図１
2005104212.tif 000002
【特許請求の範囲】
【請求項１】
ラジエータとファンとを備え、前記ファンが組み付けられる支持部材の両側に、連結部を介して前記支持部材の長手方向に延ばして板状のエアガイド部材を設けると共に、前記連結部で折り曲げて前記ラジエータに空気を導くことができる状態とし、その状態で前記エアガイド部材を前記支持部材に固定できるようにした
ことを特徴とするクーリングモジュール。
【請求項２】
請求項１に記載のクーリングモジュールにおいて、
前記支持部材と、前記連結部と、前記エアガイド部材とが樹脂により一体に形成されている
ことを特徴とするクーリングモジュール。
【請求項３】
請求項１または２に記載のクーリングモジュールにおいて、
前記連結部は前記支持部材と前記エアガイド部材との間に形成される脆弱部である
ことを特徴とするクーリングモジュール。
【発明の詳細な説明】
【技術分野】
【０００１】
本発明は、熱交換器を含むクーリングモジュールに関する。
【背景技術】
【０００２】
車両用熱交換器のラジエータやコンデンサは、ファン，モータ，ウォッシャタンク，エアガイドなどと共に、モジュールとなって一体化され、車両に搭載されることが多い。このモジュールは、クーリングモジュール（又はフロントエンドモジュール）と呼ばれ、ブラケットなどを介して車体に支持されている。
【０００３】
このクーリングモジュールの前方にはコンデンサが配置され、その後方にラジエータが配置されている。コンデンサの左右端部には、一対のエアガイドが取り付けられ、エアガイドとコンデンサの上部及び下部は、アッパパネル及びロアパネルに支持されている。これらがひとつのモジュールを構成し、車体フレームに支持されている。
【０００４】
このような熱交換器を備えるモジュールは、例えば、特許文献１に開示されている。
【０００５】
【特許文献１】特開２００２−２８６３９２号公報
【発明の開示】
【発明が解決しようとする課題】
【０００６】
しかしながら、上述した従来の支持構造は、エアガイドに切り欠き溝及び爪部を形成させ、その位置へコンデンサを嵌合させている。また、エアガイドの上面に円形断面を有するピンを設け、円筒状のマウントゴムを介してアッパブラケットに形成する円形穴に取り付けている。更に、エアガイドの下面に矩形断面を有するピンを設け、ボックス状のマウントゴムを介してロアブラケットに形成する矩形穴に取り付けている。つまり、各部材には、溝部，爪部，穴などを加工する必要があると共に、同じピンやマウントゴムであっても、それぞれが異なった形状をしている。
【０００７】
このため、各部材の形状が複雑化すると共に、クーリングモジュールを構成する部品も多くなってしまい、組み立て時間を要してしまう。このため、コストが増大する問題があった。また、ピン又はマウントゴムの取付部材を多く使用しているので、クーリングモジュールを車両搭載後にクーリングモジュールとエアガイドとを組み付ける場合、運搬時や車両搭載時においてエアガイド，ピン及びマウントゴムの脱落や紛失を招く恐れもある。また、予めクーリングモジュールとエアガイドとをアセンブリする場合、アセンブリされたクーリングモジュールが嵩張って運搬や車両搭載時に支障をきたす。
【０００８】
従って、本発明は、組み立て時間を減少させてコストを抑え、部品の脱落や紛失を防ぐことができ、かつ運搬や車両搭載が容易なクーリングモジュールを提供することを目的とする。
【課題を解決するための手段】
【０００９】
上記課題を解決する第１の本発明に係るクーリングモジュールは、ラジエータとファンとを備え、前記ファンが組み付けられる支持部材の両側に、連結部を介して前記支持部材の長手方向に延ばして板状のエアガイド部材を設けると共に、前記連結部で折り曲げて前記ラジエータに空気を導くことができる状態とし、その状態で前記エアガイド部材を前記支持部材に固定できるようにしたことを特徴とする。
【００１０】
上記課題を解決する第２の本発明に係るクーリングモジュールは、第１の発明に係るクーリングモジュールにおいて、前記支持部材と、前記連結部と、前記エアガイド部材とが樹脂により一体に形成されていることを特徴とする。
【００１１】
上記課題を解決する第３の本発明に係るクーリングモジュールは、第１または第２の発明に係るクーリングモジュールにおいて、請求項１または２に記載のクーリングモジュールにおいて、前記連結部は前記支持部材と前記エアガイド部材との間に形成された脆弱部であることを特徴とする。
【発明の効果】
【００１２】
ファンが組み付けられる支持部材の両側に、連結部を介して前記支持部材の長手方向に延ばして板状のエアガイド部材を設けると共に、前記連結部で折り曲げて前記ラジエータに空気を導くことができる状態とし、その状態で前記エアガイド部材を前記支持部材に固定できるようにしたことにより、前記エアガイド部材を折り曲げるだけで使用状態となり、組み立て時間を減少させてコストを抑え、部品の脱落や紛失を防ぐことができる。また、前記エアガイド部材の折り曲げ前は、前記クーリングモジュールが嵩張らず、運搬や車両搭載が容易である。
【００１３】
また、前記支持部材と前記連結部と前記エアガイド部材とが樹脂により一体に形成されることで、部品点数を減少させてコストを抑制できる。
【００１４】
また更に、前記連結部は前記支持部材と前記エアガイド部材との間に形成された脆弱部であることによりコストを抑えて、前記エアガイド部材を簡単に折り曲げられる構成とすることができる。
【発明を実施するための最良の形態】
【００１５】
図１は本発明の一実施例に係るクーリングモジュールの結合部材が折り曲げられた様子を示す。図２は本発明の一実施例に係るクーリングモジュールの斜視図を示す。図３（ａ）は本発明の一実施例に係るクーリングモジュールの結合部材の概略正面図を示し、同図（ｂ）は同図（ａ）の上側面図を示す。
【００１６】
図２に示すように車両（図示省略）に搭載されるクーリングモジュール１は、エアコン用コンデンサ２，ラジエータ３，ファン４，ファンを駆動させるモータ（図示省略），ファンシュラウド５，ウォッシャタンク６，及びこれらの部材２〜６を取り付けられて車体に支持される結合部材７とからなっている。また、前記結合部材７は、支持部材であるキャリア部８とエアガイド部材であるエアガイド部９とからなる。前記キャリア部８の左右両端に前記エアガイド部９が一対をなして設置され、前記キャリア部８と前記エアガイド部９とは、連結部１０により連結している。
【００１７】
前記キャリア部８には、車両前方より前記コンデンサ２，前記ラジエータ３，前記ファン４，の順に設置され、前記キャリア部８の後方には前記ファンシュラウド５と前記モータが順に設置されている。また、前記キャリア部８は、前記ファンシュラウド５や前記ウォッシャタンク６などが形成され、部品の一体化が図られたものもある。
【００１８】
前記エアガイド部９は、車両前方の開口部（図示省略）から進入した走行風を取り込み、前記コンデンサ２及びその後方に位置する前記ラジエータ３に空気を導くものである。これにより、前記コンデンサ２内を通過するガス状になった冷媒をこの空気によって冷却し、ガスを液化できる。そして、前記ラジエータ３内を通過するエンジン（図示省略）内で温められた冷却水は、この空気によって冷却されている。
【００１９】
図３は前記結合部材７が前記クーリングモジュール１に取り付けられる前の単体での状態を示している。前記エアガイド部９には、前記エアガイド部９が前記キャリア部８に取り付けられる際に使用する取付部９ａが形成されている。この取付部９ａが形成される面を表面９ｂとする。
【００２０】
前記連結部１０には、切欠き部１０ａが形成され、この切欠き部１０ａ以外の脆弱部１０ｂによって前記キャリア部８と前記エアガイド部９とが連結されている。前記脆弱部１０ｂの肉厚は、前記キャリア部８及び前記エアガイド部９の肉厚よりも薄く形成され、脆弱構造となっている。
【００２１】
つまり、上述した前記キャリア部８及び前記エアガイド部９は、前記連結部１０を介してひとつの前記結合部材７となっている。このように部材を一体化させることにより、従来よりも部品点数を減らすことが可能になり、コストを抑えることができる。また、例えばこれらを樹脂成形する場合においては、金型が１型で済むことから、設備費用の削減にも繋がる。更には、前記結合部材７とすることにより、部品の脱落や紛失を防ぐことができる。
【００２２】
なお、前記結合部材７はポリプロピレンなどで一体に成形することが可能であるが、材料は例えばナイロンのようなポリアミド樹脂であってもよいし、また、これら樹脂に適宜ガラス繊維などを配合したものであってもよい。
【００２３】
次に、図１に示すように上述した構成となすときの動作を説明する。図１中、折り曲げ方向は矢印で示す。
【００２４】
前記エアガイド部９を所定の取り付け位置に設置するには、前記エアガイド部９を前記連結部１０を支点に前記表面９ｂが内側になるように折り曲げる。このとき前記連結部１０は、前記切欠き部１０ａが形成されると共に、前記脆弱部１０ｂの肉厚が前記キャリア部８及び前記エアガイド部９の肉厚よりも薄く形成されているので、簡単に折り曲げが可能になっている。折り曲げられた前記エアガイド部９は、前記取付部９ａが前記キャリア部８に当接することにより、所定の取り付け位置に設置される。そして、前記取付部９ａにボルト１１を締め付けることにより、前記エアガイド部９を前記キャリア部８に固定できる。即ち、この状態が前記エアガイド部９の使用状態となる。
【００２５】
このような動作ができると共に、組み立て時においては前記ボルト１１だけを使用しているので、容易に組み立てができ、組み立て時間を減少できる。つまり、コストを抑えることができる。
【００２６】
従って、前記ファン４が組み付けられる前記キャリア部８の両側に、前記連結部１０を介して前記キャリア部８の長手方向に延ばして板状の前記エアガイド部９を設けると共に、前記連結部１０で折り曲げて前記ラジエータ３に空気を導くことができる状態とし、その状態で前記エアガイド部９を前記キャリア部８に固定できるようにしたことにより、前記エアガイド部９を折り曲げるだけで使用状態となり、組み立て時間を減少させてコストを抑え、部品の脱落や紛失を防ぐことができる。また、前記エアガイド部９の折り曲げ前は、前記クーリングモジュール１が嵩張らず、運搬や車両搭載が容易にできる。
【００２７】
また、前記キャリア部８と前記連結部１０と前記エアガイド部９とが樹脂により一体に形成されることで、部品点数を減少させてコストを抑制できる。
【００２８】
また更に、前記連結部１０は前記キャリア部８と前記エアガイド部９との間に形成された脆弱部であることによりコストを抑えて、前記エアガイド部９を簡単に折り曲げられる構成とすることができる。
【００２９】
上述した実施例では、前記結合部材７を樹脂成形品としたが、板金を用いたプレス加工品としてもよく、その際には、前記ボルト１１を使用せずに溶接を利用することもできる。また、前記連結部１０の肉厚の薄さ，前記切欠き部１０ａの形状，及び前記脆弱部１０ｂの形状は自由に設定してもよく、前記脆弱部１０ｂにスリットなどを形成させることにより、前記エアガイド９を更に折り曲げやすくすることも可能である。
【００３０】
更には、前記エアガイド部９は前記連結部１０を介して前記キャリア部８に連結されているが、前記クーリングモジュール１の他の構成部材である前記コンデンサ２や前記ラジエータ３に前記連結部１０を形成させ、この連結部１０を介して前記エアガイド部９を連結させても、同様の効果が得られる。
【産業上の利用可能性】
【００３１】
車両に搭載されるクーリングモジュールに適用可能である。
【図面の簡単な説明】
【００３２】
【図１】本発明の一実施例に係るクーリングモジュールの結合部材が折り曲げられた様子を示したものである。
【図２】本発明の一実施例に係るクーリングモジュールの斜視図を示す。
【図３】（ａ）本発明の一実施例に係るクーリングモジュールの結合部材の概略正面図である。（ｂ）同図（ａ）の上側面図である。
【符号の説明】
【００３３】
１        クーリングモジュール
２        エアコン用コンデンサ
３        ラジエータ
４        ファン
５        ファンシュラウド
６        ウォッシャタンク
７        結合部材
８        キャリア部
９        エアガイド部
９ａ      取付部
９ｂ      表面
１０      連結部
１０ａ    切欠き部
１０ｂ    脆弱部
１１      ボルト
【図１】
2005104212.tif 000003
【図２】
2005104212.tif 000004
【図３】
2005104212.tif 000005